(57)【要約】      （修正有）【課題】高い作業性を確保することができる携帯用ブロワを提供する。【解決手段】駆動源と、駆動源により駆動されるファンにより外部空気を吸入する空気吸入部と、吸入した外部空気を吹き出す空気吹出部３とが形成されたファンケーシングを備える携帯用ブロワにおいて、空気吸入部に吸入される外部空気の少なくとも一部の取り込み方向を変更可能に構成したことを特徴とする携帯用ブロワ。空気吸入部には、蛇腹状の吸入ダクト４が接続される。【選択図】図１
2014062406.tif 000002
【特許請求の範囲】
【請求項１】
駆動源と、前記駆動源により駆動されるファンにより外部空気を吸入する空気吸入部と、前記吸入した外部空気を吹き出す空気吹出部と、を備える携帯用ブロワにおいて、前記空気吸入部に吸入される外部空気の少なくとも一部の取り込み方向を変更可能に構成したことを特徴とする携帯用ブロワ。
【請求項２】
前記空気吸入部には、蛇腹状の吸入ダクトが接続されることを特徴とする請求項１に記載の携帯用ブロワ。
【請求項３】
前記吸入ダクトは、前記吸入ダクトの入口側が、前記吸入ダクトの出口側に対して相対位置を変更可能であり、変更した相対位置を保持可能とされていることを特徴とする請求項２に記載の携帯用ブロワ。
【請求項４】
前記吸入ダクトが伸縮可能に形成されていることを特徴とする請求項２又は請求項３に記載の携帯用ブロワ。
【発明の詳細な説明】
【技術分野】
【０００１】
本発明は携帯用ブロワに関するものである。
【背景技術】
【０００２】
従来の携帯用ブロワとして例えば特許文献１に記載のものが知られている。この携帯用ブロワは、モータにより駆動されるファンによりブロワ本体の側部に形成された吸い込み口から外部空気を取り込み、吹き出し口からノズルを介して吸引した空気を任意の領域に吹き出す構成である。
【先行技術文献】
【特許文献】
【０００３】
【特許文献１】特開２０１１−１１１７９３号公報
【発明の概要】
【発明が解決しようとする課題】
【０００４】
従来の携帯用ブロワでは、外部空気の吸い込み口がブロワ本体の側部に固定されているため、作業状況によって作業者自身が意図せず吸い込み口を塞いでしまうことが考えられる。このため、ファンを駆動するモータへの負荷が高くなって無用に電力を消費したり、ノズルから吹き出される空気量が減少して作業性が低下してしまうという問題があった。
【０００５】
本発明は、上記事情に鑑みてなされたものであり、その目的は、高い作業性を確保することができる携帯用ブロワを提供することである。
【課題を解決するための手段】
【０００６】
上記目的を達成するために、請求項１の発明では、駆動源と、前記駆動源により駆動されるファンにより外部空気を吸入する空気吸入部と、前記吸入した外部空気を吹き出す空気吹出部と、を備える携帯用ブロワにおいて、前記空気吸入部に吸入される外部空気の少なくとも一部の取り込み方向を変更可能に構成している。
【０００７】
また、請求項２の発明では、前記空気吸入部には、蛇腹状の吸入ダクトが接続されることを特徴としている。
【０００８】
また、請求項３の発明では、前記吸入ダクトは、前記吸入ダクトの入口側が、前記吸入ダクトの出口側に対して相対位置を変更可能であり、変更した相対位置を保持可能とされている。
【０００９】
また、請求項４の発明では、前記吸入ダクトが伸縮可能に形成されている。
【発明の効果】
【００１０】
本発明によれば、空気吸入部に蛇腹状の吸入ダクトを取り付け、吸入ダクトの入口の方向や角度をつけることで、ブロワ本体に対し作業者の反対側に吸入ダクトの入口を設置し、作業の邪魔になるような状況にせず、作業者の自由で設置可能となる機構を備えることができる。また、作業者が空気吸入部の口を塞ぐことがなくなるので、一定量の送風が可能である。また、吸入ダクトの入口を自由に配置できることで作業者が持ち手などを気にせず、作業が可能である。また、モータの負荷を抑えられ、電流の消費を抑えられる。そして、蛇腹の伸縮で長さを調節可能であるので、収納時はコンパクトにすることができる。
【図面の簡単な説明】
【００１１】
【図１】本発明の本体後面図
【図２】本発明の動作状態を示す側面図
【図３】本発明の吸入ダクト収縮状態を示した本体側面図
【図４】本発明の動作状態を示す後面図
【発明を実施するための形態】
【００１２】
以下本発明に係る携帯用ブロワの一実施形態について説明する。図１及び図２に示すように、ブロワ本体１の全長方向において、その一方側に外部空気を吸入する空気吸入部１１が形成され、他方側に吸入した外部空気を吹き出す空気吹出部１３が形成されている。ブロワ本体１には、バッテリ７により駆動されるモータが内蔵されており、モータの回転軸に取り付けられた送風ファンにより空気吸入部１１から外部空気をブロワ本体１内に取り込み、空気吹出部１３から吹き出された空気をダクト１４の送風部６から任意の領域に送風するように構成されている。
【００１３】
空気吸入部１１には吸入ダクト４が接続されており、この吸入ダクト４のうち、ダクト出口部１２（出口側）が空気吸入部１１に取り付けられ、ダクト入口部５（入口側）が外部空気の吸い込み口として機能するよう構成されている。吸入ダクト４は、円形の節が複数連結されて全体として蛇腹形状に形成されており、各節は隣接する節との間で少なくともその一部分が接触または離間可能とされているとともに、その接触または離間の状態を保持する機能を有している。
【００１４】
従って、すべての節について、隣接する節と接触させると、吸入ダクト４は収縮状態となり（図３参照）、逆に、すべての節について、隣接する節と離間させると、吸入ダクト４は伸長状態となる。また、各節について、隣接する節に対してその一部を接触させた場合には、図１、図２に示すように、ダクト入口部５がダクト出口部１２に対して傾斜状態で保持されることとなる。このように、ダクト入口部５をダクト出口部１２、ブロワ本体１に対して任意の位置に設定することができるようになっている。
【００１５】
このような構成の携帯用ブロワにおいて、作業者１０はハンドル２を把持し、ロックオフボタン９でロックを解除し、ロックが解除された状態でスイッチ３を引くことで、吸入ダクト４のダクト入口部５から外部空気を取り込み、ダクト１４の送風部６から空気が送り出され、枯葉やゴミ等を送風部６から送り出された風の力でまとめる。
【００１６】
例えば、作業者１０が右手でハンドル２を把持している場合には、作業者の左側にブロワ本体１が位置することとなり、この場合には吸入ダクト４のダクト入口部５を左側に傾けて作業することで外部空気が確実に吸入される（図４参照）。また、作業者１０が左手でハンドル２を把持している場合には、作業者の右側にブロワ本体１が位置することとなり、この場合には吸入ダクト４のダクト入口部５を右側に傾けて作業することで外部空気が確実に吸入される。また、ブロワ本体１を使用しない場合には、吸入ダクト４を収縮状態に保持しておけばよい。
【００１７】
本発明によれば、吸入ダクト４の入口側の位置を自由に調節できるため、作業者１０は必要に応じて、吸入ダクト４を左右上下または長さを変えることができ、作業の際、作業者１０から遠い所にダクト入口部５を設置したりして、外部空気が取り込まれるダクト入口部５の方向を作業者の持ち手１０aが左右どちらで持っていても作業者１０の服等や作業者１０の足１０ｂから遠ざけることができるので塞がることがない。また、ダクト入口部５が塞がれることを防ぐことで送風部６から排出される風量を一定量送付可能であり、ブロワ本体１のモータに対する負荷が抑えられることで電流の消費が過剰にならずに作業を行うことができる。
【符号の説明】
【００１８】
１…ブロア本体、２…ハンドル、３…スイッチ、４…吸入ダクト、５…ダクト入口部、６…送風部、７…バッテリ、８…トリガスイッチ、９…ロックオフボタン、１０…作業者、１０a…作業者の持ち手、１０b…作業者の足、１１…空気吸込部、１２…ダクト出口部、１３…空気吹出部、１４…ダクト
【図１】
2014062406.tif 000003
【図２】
2014062406.tif 000004
【図３】
2014062406.tif 000005
【図４】
2014062406.tif 000006